(57)【特許請求の範囲】
【請求項１】
冷媒が流れる流路を構成するフィンが形成された本体と、前記本体の前記流路を塞ぐ蓋とを有し、直流電力を交流電力に変換する電力変換器を冷却する電力変換器用冷却器であって、
前記フィンの高さと前記フィンのベースとなるフィンベースの厚さとの和よりも長く、前記電力変換器と前記本体とを接合するためのネジを有し、
前記本体は、前記ネジを挿入するためのネジ穴を形成する部分を前記ネジの長さよりも長くしたこと
を特徴とする電力変換器用冷却器。
【請求項２】
前記本体は、前記フィンベースの前記電力変換器と接合する側に凹みを設けたこと
を特徴とする請求項１に記載の電力変換器用冷却器。
【請求項３】
前記本体は、前記フィンベースにおいて、前記凹みの側面に相当し、前記電力変換器との接合面と反対側の面に、前記フィンを有すること
を特徴とする請求項２に記載の電力変換器用冷却器。
【請求項４】
前記本体は、前記フィンベースの厚さを１ｍｍから５ｍｍにしたこと
を特徴とする請求項１から請求項３のいずれか１項に記載の電力変換器用冷却器。
【請求項５】
前記本体は、前記電力変換器との接合面に、空気を逃がすための経路となる溝を設けたこと
を特徴とする請求項１から請求項４のいずれか１項に記載の電力変換器用冷却器。
【請求項６】
前記本体と前記電力変換器とを接合する絶縁シートを有すること
を特徴とする請求項１から請求項５のいずれか１項に記載の電力変換器用冷却器。
【請求項７】
請求項１から請求項６のいずれか１項に記載の電力変換器用冷却器と、
前記電力変換器とを有し、
前記電力変換器用冷却器と前記電力変換器とを接合したこと
を特徴とする電力変換装置。
【発明の詳細な説明】
【技術分野】
【０００１】
本発明は、電力変換器を冷却する電力変換器用冷却器に関する。
【背景技術】
【０００２】
近年、電力用変換装置は小型、低コスト化の市場要求に伴い、電力用変換装置を構成する電力用半導体素子も大容量化、高速化、小型化が加速している。これに伴い電力用半導体素子の外形が小型化になる一方で容量が増大することから、単位面積あたりの熱量である熱流束が増大する傾向にある。一方、電力用半導体素子はその特性上、半導体チップの許容温度を高くすることが困難であり、そのため或る温度内に保つ必要がある。そのため、熱流束の増大に応じて、冷却効率に優れた半導体素子用冷却器への要求が強くなっている。
【０００３】
電力変換器用冷却器は、空気、純水又は不凍液の冷媒が流路上に設けられた冷却用フィンを流れることにより、接合された電力変換器を冷却する。このフィンは、電力変換器（モジュール型半導体素子）との接合面に対して、垂直に形成されている。このような冷却器においては、フィンを形成するベースとなるフィン上部（以下、「フィンベース」という。）の厚み、即ち接合面とフィンとの間の厚みは、冷却効率の観点からある値以下にしなければならない。特に、冷却器の材料をダイカストとした場合、製造時にダイカストの内部にできる空洞、いわゆるダイカストの巣ができ、冷媒の漏れが生じる原因となるなど耐久性を損なうため、フィンベースの厚みは、さらに制約を受ける。
【０００４】
一方、電力変換器は、ネジを用いて、冷却器に取付けられる。ネジは、使用する状況に応じて、規格等により決められているため、ネジの長さを短くすることはできない。冷却器側には、このネジに対応するネジ穴を設ける必要がある。このネジ穴を設けるために、電力変換器との接合面からフィンの先端部までの長さを長くすることにより対応している（例えば、特許文献１を参照）。
【特許文献１】特開２００２−４６４８２号公報
【発明の開示】
【発明が解決しようとする課題】
【０００５】
しかしながら、以上のような電力変換器用冷却器では、ネジ穴を設ける部位を確保するには、フィンベースの厚さには、前述のようなネジによる制約があるため、フィンを高くしなければならなくなる。
【０００６】
このため、フィンの高さが必要以上に高くなり、冷媒流量が同じときは、熱抵抗値が悪化し、冷却効率が低下する。特に冷却システムの制約により、冷媒の大流量が確保できない場合、電力用半導体素子の熱損失増大を招き、大容量化、又は小型化に対応できなくなる。
【０００７】
そこで、本発明の目的は、電力変換器を接合するためのネジの形状によらず、接合された電力変換器を効率的に冷却することのできる電力変換器用冷却器を提供することにある。
【課題を解決するための手段】
【０００８】
本発明の観点に従った電力変換器用冷却器は、冷媒が流れる流路を構成するフィンが形成された本体と、前記本体の前記流路を塞ぐ蓋とを有し、直流電力を交流電力に変換する電力変換器を冷却する電力変換器用冷却器であって、前記フィンの高さと前記フィンのベースとなるフィンベースの厚さとの和よりも長く、前記電力変換器と前記本体とを接合するためのネジを有し、前記本体は、前記ネジを挿入するためのネジ穴を形成する部分を前記ネジの長さよりも長くしたことを備えた構成である。
【発明の効果】
【０００９】
本発明によれば、電力変換器を接合するためのネジの形状によらず、接合された電力変換器を効率的に冷却することのできる電力変換器用冷却器を提供することができる。
【発明を実施するための最良の形態】
【００１０】
以下図面を参照して、本発明の実施形態について説明するが、始めに各実施形態で共通すること項について説明する。
【００１１】
図１５及び図１６を参照して、本発明の各実施形態に係る電力変換器用冷却器の適用された構成の概要について説明する。
【００１２】
本冷却器は、冷媒１と、冷媒１が流入する入口２と、冷媒１が流出する出口６と、冷媒１が流れる流路９が形成されている本体３と、流路９を塞ぐための蓋４とから構成されている。流路９は、フィン５が形成されている。電力変換器１１は、本冷却器に接合されている。電力変換器用ケース１０は、電力変換器１１を覆うように本体３に設けられている。
【００１３】
本冷却器の主な材質は、例えばアルミダイカストである。アルミダイカストは、型形成部材品であり、電力変換用ケース１０及びフィン５を、本体３と一体化した型を用いて形成している。
【００１４】
冷媒１は、空気、純水又は不凍液などである。
【００１５】
流路９は、冷媒１が流れる経路を形成するためのものである。
【００１６】
フィン５は、冷却用フィンである。流路９を流れる冷媒１による冷却効果を高めるためのものである。
【００１７】
蓋４は、流路９を流れる冷媒１が漏れないようにするためのものである。
【００１８】
電力変換器１１は、本冷却器により冷却される発熱体である。電力変換器１１は、直流電力を交流電力変換する機器である。電力変換器１１は、例えばモジュール型半導体素子を主として構成されている。
【００１９】
電力変換器用ケース１０は、電力変換器１１を外部からの衝撃等から保護するために設けられている。
【００２０】
上述の構成により、電力変換器１１から発生した熱は、本冷却器に放熱され、流路９を流れる冷媒１により冷却される。
【００２１】
（第１の実施形態）
図１を参照して、本実施形態に係る電力変換器用冷却器の適用された構成について説明する。図１５及び図１６と同一部分には同一符号を付してその詳しい説明を省略し、ここでは異なる部分について主に述べる。なお、以下の実施形態も同様にして重複した説明を省略する。
【００２２】
電力変換器１１は、底面に放熱板２６が取付けられている。電力変換器１１は、放熱板２６が、本体３の受熱部７と接合するように、冷却器に取付けられる。
【００２３】
ネジ１３は、ネジ挿入口１４からネジ穴１２に沿って挿入し、放熱板２６と受熱部７とを接合するように固定している。ネジ１３は、規格等によりその必要な長さや径などが予め決められている。
【００２４】
本体３は、ネジ挿入口１４の直下に、凸部１５が形成されている。
【００２５】
蓋４は、本体３に取付けると、本体３の凸部１５が収まるように、凹面１６が形成されている。
【００２６】
ネジ穴１２は、凸部１５の内部まで加工して、本体３に設けている。
【００２７】
上述の構成により、電力変換器１１から発生した熱は、放熱板２６を介して、本体３の受熱部７に放熱される。本体３は、受熱部７から受熱した熱が、放熱部８（フィン５）に伝わる。放熱部８に伝わった熱は、流路９（フィン５）を流れる冷媒１により熱を奪われることに冷却される。
【００２８】
冷却器の冷却能力を高める、すなわち熱抵抗を低減するためには、例えばフィンの平均熱伝達率を大きくするか、フィンピッチｐを小さくしてフィン枚数を増やしたり、フィン厚さｄを狭めたりして、伝熱面積を大きくする必要がある。平均熱伝達率は冷媒の種類、冷媒の流れ具合、フィンの形状・表面性状、温度差、その他様々な要素に影響される技術係数である。冷却器は、フィン高さｈを変化させれば吐出圧を固定した例えばポンプを用いれば、冷媒の流速が変化し、熱抵抗値が変化する。
【００２９】
車載用電力変換器の冷却システムにおいては、圧力損失の発生は、冷却器と、冷媒の配管と、外気に熱を逃がす熱交換器の３つが主として挙げられる。冷却システムの圧力損失の占める割合として、熱交換器と、配管による冷媒の圧力損失の占める割合が大きく、冷却器の圧力損失の占める割合は比較的小さい。よって、フィン高さｈの違いによる圧力損失の違いは冷媒流量に大きく左右されない。
【００３０】
フィンは先端に向かうほど温度が低下するため、熱伝達を生じ占める冷媒とフィンとの温度差は先端に近づくにつれて減少していき、熱伝達率が減少する。よって、フィン高さｈが低いほど、冷媒流量に関係なく熱抵抗が小さくなる。また、フィン高さｈが高いほど、冷媒の流量一定条件の場合、冷媒の流速が遅くなるため熱伝達率が減少する。これらのことから、冷媒の流量をパラメータとした場合、フィン高さｈが低いほど熱抵抗値の低減に繋がる。圧力損失の許容範囲内つまり、冷却システムの圧力損失が占める割合が大きい熱交換器や配管の圧力損失と同等位に占めない領域で可能な限りフィン高さｈを低くして流量を上げることがフィン効率の向上に繋がる。
【００３１】
本実施形態によれば、受熱部７のネジ取付け面の直下に凸部１５を設け、冷却器の冷媒流路の蓋に凹面１６を形成し、電力変換器１１を取付けためのネジ穴１２の深さを冷却器の凸部１５の内部まで加工することによって、ネジ１３の形状によらず、フィン高さｈを決めることができる。よって、ネジ１３の高さに対してフィン高さｈを低くすることができる。これにより、効率的なフィン高さｈを構成することができるため、効率的な冷却ができ、電力変換器用冷却器を小型化することができる。
【００３２】
また、電力変換器用半導体素子の大容量化、高速化及び小型化に伴う発熱損失増大に対応した冷却をすることがきる。さらに、電力変換器用半導体素子の温度上昇を低減することにより、信頼性を向上し、寿命の低下を防ぐことができる。また、冷媒が低流量領域でも熱抵抗値を低減することができ、冷媒を循環させるために必要なポンプや配管などを小型化できる。
【００３３】
なお、凸部１５を受熱部７のネジ取付け面の直下だけでなく、冷媒の流路９に沿って設けてもよい。冷媒の流路９に沿って設けることによって、流路９の面に対して段差が生じるため、冷媒が横方向に流れることによる液漏れを防止することができる。
【００３４】
（第２の実施形態）
図２を参照して、本実施形態に係る電力変換器用冷却器の適用された構成について説明する。
【００３５】
本冷却器は、図１に示す冷却器の本体３に形成された凸部１５及び蓋４に形成された凹面１６の形状が変わった点以外は、図１と同じである。
【００３６】
凸部１５は、受熱部８の両端を形成する側面と、凸部１５を構成する側面とが滑らかな面で形成されている。
【００３７】
凹面１６は、凸部１５が収まるように、広く凹んだ面を形成している。
【００３８】
本実施形態によれば、第１の実施形態の作用・効果に加え、受熱部８の両端を形成する側面と、凸部１５を形成する側面とが連続的に滑らかな面で接合されていることにより、本体３と蓋４との接合をより密接にすることができる。これにより、流路９を流れる冷媒１の気密性をより高めることができ、耐久性を向上させることができる。
【００３９】
（第３の実施形態）
図３を参照して、本実施形態に係る電力変換器用冷却器の適用された構成について説明する。
【００４０】
本冷却器は、図１に示す冷却器の本体３の受熱部７及び蓋４の形状が変わり、本体３に形成されていた凸部１５が無くなった点以外は、図１と同じである。
【００４１】
本体３は、受熱部７において、電力変換器１１を取付ける面を、ネジ挿入口１４を含む面よりも低くなるように加工している。
【００４２】
放熱板２６は、上述のように加工された受熱部７の面に合うように、電力変換器１１を取付ける面とネジ挿入口１４を含む面とが段差が付くように折り曲げた加工をしている。
【００４３】
本実施形態によれば、第１の実施形態の作用・効果に加え、電力変換器１１との接着面積が大きくなるため、放熱面積を大きく取ることができ、電力変換器１１の側面側との接着面積を有することにより、電力変換器１１を側面から冷却することができるため、より冷却能力を向上することができる。また、蓋４の両面を全体的に平面とした単純な形状とすることにより、生産性が向上し、生産コストの削減をすることができる。
【００４４】
（第４の実施形態）
図４を参照して、本実施形態に係る電力変換器用冷却器の適用された構成について説明する。
【００４５】
本冷却器は、図３に示す冷却器の本体３及び蓋４の形状が変わった点以外は、図３と同じである。
【００４６】
蓋４は、フィン５の高さ以上の深さの凹面１７が形成されている。凹面１７は、蓋４と本体３とを接合すると、本体３に形成されたフィン５を覆うような形状となっている。
【００４７】
本体３は、本冷却器に電力変換器１１を取付けた状態が、電力変換器１１の上面と受熱部７のネジ挿入口１４が含まれる面との高さが同じとなるように、受熱部７において、電力変換器１１を取付ける面を、ネジ挿入口１４を含む面よりも低くなるように加工している。また、本体３は、ネジ挿入口１４の下に位置する蓋４と接合する部分が凹んで（フィン５よりも低くなって）いる。
【００４８】
放熱板２６は、上述のように加工された受熱部７の面に接合するように、電力変換器１１を取付ける面とネジ挿入口１４を含む面とが段差が付くように折り曲げられた加工がされている。
【００４９】
本実施形態によれば、第１の実施形態の作用・効果に加え、第３の実施形態の冷却器よりも電力変換器１１との接着面積が大きくなるため、より放熱面積を大きく取ることができ、より冷却能力を向上することができる。また、電力変換器１１を取付けた状態で、上面が平らになることにより、例えば車両等に搭載するときの収容性が向上し、全体として凹凸面の少ない形状とすることで、外部からの衝撃等に強い耐久性を得ることができる。さらに、凹面１７の側面は、フィン５の高さ以上の高さを有しており、冷媒１をより確実に流路９内に留めることができるため、冷媒１の漏れに対する耐久性を向上させることができる。
【００５０】
（第５の実施形態）
図５を参照して、本実施形態に係る電力変換器用冷却器の適用された構成について説明する。
【００５１】
本冷却器は、図４に示す冷却器の本体３の放熱部８と、蓋４の凹面１７の形状が変わった点以外は、図４と同じである。
【００５２】
本体３は、電力変換器１１を取付けた状態において、側面に当たる部分の放熱部８側に、さらにフィン５を水平方向に伸びるように設けている。これにより、本冷却器は、電力変換器１１の側面に当たる部分の放熱部８側に流路９が形成される。
【００５３】
蓋４は、凹面１７の両側の側面になだらかな傾斜をつけている。これにより、本体３に設けられた両側に位置する下方向に伸びるフィン５と下方に位置する水平方向に伸びるフィン５との間にできる流路９と、電力変換器１１が接合されている受熱部７との距離を短くしている。
【００５４】
本実施形態によれば、第４の実施形態の作用・効果に加え、電力変換器１１の側面方向に流路９が設けられたことにより、冷却器に接触している電力変換器１１の側面の熱を受ける受熱部７から放熱部８への熱移動距離が短くなり、電力変換器１１の多方面から冷却することができるため、冷却能力を向上することができる。
【００５５】
（第６の実施形態）
図６を参照して、本実施形態に係る電力変換器用冷却器の適用された構成について説明する。
【００５６】
本冷却器は、図１に示す冷却器の本体３に形成されていた凸部１５及び蓋４の凹面１６が無くなり、蓋４にネジ穴１８を設け、ネジ穴１２が変わった点以外は、図１と同じである。
【００５７】
ネジ穴１２は、本体３を貫通し、蓋４にまで達するように設けられている。
【００５８】
ネジ穴１８は、蓋４に、ネジ穴１２と繋がるように設けられている。
【００５９】
電力変換器１１と本体３と蓋４とを共通のネジを用いて取付ける。
【００６０】
本実施形態によれば、第１の実施形態の作用・効果に加え、電力変換器１１と本体３と蓋４とを共通のネジ１３を用いて同時に取付けることで、取付けるためのネジの個数を減らすことができ、組立て工数を減少させることができる。
【００６１】
（第７の実施形態）
図７を参照して、本実施形態に係る電力変換器用冷却器の適用された構成について説明する。
【００６２】
本冷却器は、図６に示す冷却器の本体３及び蓋４の形状が変わった点以外は、図６と同じである。
【００６３】
蓋４は、フィン５の高さ以上の深さの凹面１７が形成されている。蓋４と本体３とを接合すると、凹面１７は、本体３に形成されたフィン５を覆うような形状となっている。
【００６４】
本体３は、ネジ挿入口１４の下方に位置する蓋４と接合する部分が凹んで（フィン５よりも低くなって）いる。
【００６５】
本実施形態によれば、第６の実施形態の作用・効果に加え、凹面１７の側面は、フィン５の高さ以上の高さを有しており、冷媒１をより確実に流路９内に留めることができるため、耐久性を向上させることができる。
【００６６】
（第８の実施形態）
図８を参照して、本実施形態に係る電力変換器用冷却器の適用された構成について説明する。
【００６７】
本冷却器は、図６に示す冷却器の蓋４に設けられたネジ穴１８を、蓋４を貫通するように設け、蓋４の底面側から突き出たネジ１３（ボルト）をナット２７で固定する点以外は、図６と同じである。
【００６８】
本実施形態によれば、第６の実施形態の作用・効果に加え、蓋４の底面側から突き出たネジ１３をナット２７で固定することにより、電力変換器１１と本体３と蓋４とをより強固に接合することができ、特に振動などに対する耐久性を向上させることができる。
【００６９】
（第９の実施形態）
図９を参照して、本実施形態に係る電力変換器用冷却器の適用された構成について説明する。
【００７０】
本冷却器は、図８に示す冷却器に、流路９以外の本体３と蓋４との間にシール材１９ａが設けられている点以外は、図８と同じである。
【００７１】
シール材１９ａは、例えばゴム製である。シール材１９ａは、本体３と蓋４との間に、流路９の周囲を囲むように介在している。シール材１９ａを取付けるために、本体３と蓋４のいずれか一方、或いは両方に溝が設けられている。
【００７２】
本実施形態によれば、第８の実施形態の作用・効果に加え、シール材１９ａが、本体３と蓋４との間に、流路９の周囲を囲むように設けられていることにより、冷媒１の漏れに対する耐久性を向上させることができる。
【００７３】
（第１０の実施形態）
図１０を参照して、本実施形態に係る電力変換器用冷却器の適用された構成について説明する。
【００７４】
本冷却器は、図９に示す冷却器のシール材１９ａの代わりに、液体パッキン１９ｂが用いられている点以外は、図９と同じである。
【００７５】
液体パッキン１９ｂは、例えば車載に使用されるような過酷な条件の温度場においても劣化が少ない利点を有している。
【００７６】
本実施形態によれば、本体３と蓋４との間に液体パッキン１９ｂを用いることにより、例えば車載に使用されるような温度場においても、冷媒１のシールとして長期信頼性を保つことができる。
【００７７】
（第１１の実施形態）
図１を参照して、本実施形態に係る電力変換器用冷却器の適用された構成について説明する。
【００７８】
本冷却器は、図１に示す冷却器において、フィンベースの厚さｌを１ｍｍから５ｍｍの間に限定している点以外は、第１の実施形態の電力変換器用冷却器と同じである。
【００７９】
一般的に、冷却器は、フィンベースの厚さｌを薄くすればするほど、熱伝導熱抵抗が小さくなり、冷却能力が上がると考えられる。しかし、電力変換器１１が例えばモジュール型半導体素子の場合、発熱する素子が分配されていることから、均等発熱では無く局所的な分配発熱となる。また、冷却システムの制約により、冷媒が大流量を確保することができない場合には、冷媒流れは層流となる。そのため、ベース厚を小さくしても、熱抵抗が小さくなるとは限らない。
【００８０】
図１４は、（ａ）、（ｂ）、（ｃ）がそれぞれ冷媒１の流量が１、５、９Ｌ／ｍｉｎにおけるフィンベースの厚さｌと熱抵抗値の関係を示す実験データである。縦軸が熱抵抗値（Ｋ／Ｗ）、横軸がフィンベースの厚さｌ（ｍｍ）を示している。本実験に用いた冷却器の本体３の材質は、アルミニウムである。
【００８１】
どの冷媒流量においても、フィンベースの厚さｌが１〜５ｍｍの領域では、熱抵抗値を表す曲線の傾きが、他の領域（５〜７ｍｍの領域）に比べて緩やかであり、熱抵抗値の極小領域であることが読み取れる。特に、フィンベースの厚さｌが３ｍｍでは、極小点となっていることが読み取れる。
【００８２】
本実施形態によれば、フィンベースの厚さｌを１〜５ｍｍ（特に、３ｍｍ）にすることで、第１の実施形態における冷却効率による効果を最も発揮させることができる。
【００８３】
（第１２の実施形態）
図１１及び図１２を参照して、本実施形態に係る電力変換器用冷却器の適用された構成について説明する。
【００８４】
本冷却器は、第１の実施形態における冷却器の受熱部７に、銀ペースト２８を塗布するための溝２１を設け、銀ペースト２８を用いて、電力変換器１１の底面に取付けられた放熱板２６と、受熱部７とを接合している。
【００８５】
銀ペースト２８は、熱伝導性の良い接着剤である。エポキシ樹脂にインフェラー等の高熱伝導部材を高密度に充填した銀ペーストは、熱伝導率が約６０Ｗ／ｍ・Ｋとなる。これは、サーマルグリースと比べて約７０倍の熱伝導率を持つ。
【００８６】
溝２１は、本体３の受熱部７に設けられている。溝２１は、放熱板２６と受熱部７との間に溜まる空気を除去するためのものである。本体３の材質が型形成部材品である例えばアルミダイカストである場合は、本体３を形成する型に、溝２１を形成するための型を設けることができる。
【００８７】
本実施形態によれば、第１の実施形態の作用・効果に加え、電力変換器１１と本体３との接合面の間に溜まる空気を除去するような溝２１を設けることにより、内部に溜まる空気を除去することができ、接触熱抵抗をより低減することができる。また、銀ペースト２１を用いて、電力変換器１１と本体３とを接合することにより、接触熱抵抗をさらに低減することができる。これらにより、効率的な冷却をすることができる。
【００８８】
（第１３の実施形態）
図１３を参照して、本実施形態に係る電力変換器用冷却器の適用された構成について説明する。
【００８９】
本冷却器は、図１に示す冷却器において、放熱板２６を介して電力変換器１１と接合することに代えて、エポキシ樹脂シート３０を用いて電力変換器１１と接合している点以外は、図１と同じである。また、図１３中に図示していないネジ１３は、放熱板２６以外の例えば電力変換器用ケース１０を固定することにより、電力変換器１１を全体として本冷却器に接合している。
【００９０】
半導体素子３３及び銅板３２は、電力変換器であるモジュール型半導体素子の内部を構成するものである。
【００９１】
半導体素子３３は、熱を発生させる発熱体である。
【００９２】
銅板３２は、電極の役割を果たしている。
【００９３】
エポキシ樹脂シート３０は、絶縁シートである。エポキシ樹脂シート３０は、絶縁樹脂シートの中では、熱伝導率が良く、電気的な絶縁を持つことから、絶縁樹脂シートとして用いることに適している。本冷却器は、エポキシ樹脂シート３０を用いることにより、放熱板を用いずに、銅板３２を直接受熱部７に貼り付けている。
【００９４】
本体３がダイカスト部材の場合、純銅や純アルミより熱伝導率が低い。そのため、半導体素子３３の熱拡散に利用される放熱板は必ずしも必要とされない。
【００９５】
本実施形態によれば、放熱板が無くなった分の熱伝導熱抵抗と、電力変換器１１と冷却器間の接触熱抵抗が無くすことができ、熱抵抗値を低減し、効率的な冷却をすることができる。また、エポキシ樹脂シート３０を用いることにより、より熱抵抗値を低減することができる。
【００９６】
なお、各実施形態において、フィン高さ、フィンベースの厚さ、フィンピッチ、及びフィン厚さなどのフィンの形状は、各実施形態の要旨を逸脱しない範囲内で、ダイカストの製造性などを考慮して決定してもよい。
【００９７】
第９の実施形態又は第１０の実施形態において、第８の実施形態に係る電力変換器用冷却器を基本構成として用いたが、他の実施形態に係る電力変換器用冷却器を基本構成として、同様の構成としてもよい。これにより、各実施形態における効果に加え、第９の実施形態又は第１０の実施形態における効果を得ることができる。
【００９８】
第１１の実施形態又は第１２の実施形態において、第１の実施形態に係る電力変換器用冷却器を基本構成として用いたが、他の実施形態に係る電力変換器用冷却器を基本構成として、同様の構成としてもよい。これにより、各実施形態における効果に加え、第１１の実施形態又は第１２の実施形態における効果を得ることができる。
【００９９】
第１３の実施形態において、第１の実施形態に係る電力変換器用冷却器を基本構成として用いたが、他の実施形態に係る電力変換器用冷却器を基本構成として、同様の構成としてもよい。これにより、各実施形態における効果に加え、第１３の実施形態における効果を得ることができる。また、ネジ１３は、電力変換器用ケース１０を固定することとしたが、各実施形態における効果を発揮し得る態様で用いるのであれば、他のものを固定してもよい。
【０１００】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０１】
【図１】本発明の第１の実施形態に係る電力変換器用冷却器の適用された構成を説明するための断面図。
【図２】第２の実施形態に係る電力変換器用冷却器の適用された構成を説明するための断面図。
【図３】第３の実施形態に係る電力変換器用冷却器の適用された構成を説明するための断面図。
【図４】第４の実施形態に係る電力変換器用冷却器の適用された構成を説明するための断面図。
【図５】第５の実施形態に係る電力変換器用冷却器の適用された構成を説明するための断面図。
【図６】第６の実施形態に係る電力変換器用冷却器の適用された構成を説明するための断面図。
【図７】第７の実施形態に係る電力変換器用冷却器の適用された構成を説明するための断面図。
【図８】第８の実施形態に係る電力変換器用冷却器の適用された構成を説明するための断面図。
【図９】第９の実施形態に係る電力変換器用冷却器の適用された構成を説明するための断面図。
【図１０】第１０の実施形態に係る電力変換器用冷却器の適用された構成を説明するための断面図。
【図１１】第１２の実施形態に係る電力変換器用冷却器の受熱部に設けた溝を説明するための上面図。
【図１２】第１２の実施形態に係る電力変換器用冷却器の適用された構成を説明するための断面図。
【図１３】第１３の実施形態に係る電力変換器用冷却器の適用された構成を説明するための断面図。
【図１４】第１１の実施形態に係る電力変換器用冷却器フィンベースの厚さと熱抵抗値の関係を示す実験データを表した図。
【図１５】全ての実施形態に係る電力変換器用冷却器の適用された構成の概要を説明するための上面側から見た斜視図。
【図１６】全ての実施形態に係る電力変換器用冷却器の適用された構成の概要を説明するための底面側から見た斜視図。
【符号の説明】
【０１０２】
１…冷媒、２…入口、３…本体、４…蓋、５…フィン、６…出口、７…受熱部、８…放熱部、９…流路、１０…電力変換器用ケース、１１…電力変換器、１２，１８…ネジ穴、１３…ネジ、１４…ネジ挿入口、１５…凸部、１６，１７…凹面、１９ａ…シール材、１９ｂ…液体パッキン、２１…溝、２６…放熱板、２７…ナット、２８…銀ペースト、３０…エポキシ樹脂シート、３２…銅板、３３…半導体素子。
【図１】
0004738192.tif 000002
【図２】
0004738192.tif 000003
【図３】
0004738192.tif 000004
【図４】
0004738192.tif 000005
【図５】
0004738192.tif 000006
【図６】
0004738192.tif 000007
【図７】
0004738192.tif 000008
【図８】
0004738192.tif 000009
【図９】
0004738192.tif 000010
【図１０】
0004738192.tif 000011
【図１１】
0004738192.tif 000012
【図１２】
0004738192.tif 000013
【図１３】
0004738192.tif 000014
【図１４】
0004738192.tif 000015
【図１５】
0004738192.tif 000016
【図１６】
0004738192.tif 000017